(57)【要約】      （修正有）【課題】食事の際に邪魔にならないフェイスシールドを提供する。【解決手段】フェイスシールドは、透明な材料を用いてユーザの頭部前方と側方を覆うように形成されたシールド部１１と、シールド部と連結した２つの肩固定部１２とを含み、２つの肩固定部がユーザーの２つの肩にそれぞれ固定されることにより、シールド部は、ユーザーの頭部から離れた状態で頭部の少なくとも前方を覆う位置に配置される。【選択図】図１
0003232522.tif 000002
【実用新案登録請求の範囲】
【請求項１】
透明な材料を用いて形成されたシールド部と、
前記シールド部と連結した２つの肩固定部とを含み、
前記２つの肩固定部がユーザーの２つの肩にそれぞれ固定されることにより、前記シールド部が、前記ユーザーの頭部から離れた状態で前記ユーザーの頭部の少なくとも前方を覆う位置に配置される、フェイスシールド。
【請求項２】
前記シールド部は、前記位置において前記ユーザーの頭部の前方および側方を覆うことが可能な形状を有する、請求項１に記載のフェイスシールド。
【請求項３】
前記シールド部は、前記位置において、さらに前記ユーザーの頭部の上方を覆うことが可能な形状を有する、請求項２に記載のフェイスシールド。
【請求項４】
前記シールド部が前記位置に配置された状態において、前記シールド部と前記ユーザーとの間に、前記前記ユーザーが食事を口に運ぶことができる程度の空間が形成される、請求項１〜３のいずれか１項に記載のフェイスシールド。
【請求項５】
前記シールド部が前記位置に配置された状態において、前記ユーザーの頭部に接触しない、請求項１〜４のいずれか１項に記載のフェイスシールド。
【考案の詳細な説明】
【技術分野】
【０００１】
本考案は、フェイスシールドに関する。
【背景技術】
【０００２】
主に感染症の感染拡大防止を目的として様々な形状のフェイスシールドが開発されている。ユーザーは、フェイスシールドを装着することにより、会話等による飛沫の飛散および吸引を抑制することができる。
【０００３】
しかしながら、従来のフェイスシールド（たとえば特許文献１）では、装着しながら食事をとることが困難であった。具体的には、たとえば、顔の前方を覆うシールド部がユーザーの顔に近すぎるため、ユーザーは食事を口に運びにくいという問題があった。また、ゴムバンド等により頭部に固定するタイプのフェイスシールドでは、食事の際、咀嚼によりずれてくる煩わしさもあった。
【先行技術文献】
【特許文献】
【０００４】
【特許文献１】実登３２２８９０７号公報
【考案の概要】
【考案が解決しようとする課題】
【０００５】
本考案は、上述の課題を解決するためになされたもので、その目的は、食事の際に好適に使用可能なフェイスシールドを提供することである。
【課題を解決するための手段】
【０００６】
上述の課題を解決するために、本考案に係るフェイスシールドは、透明な材料を用いて形成されたシールド部と、前記シールド部と連結した２つの肩固定部とを含み、前記２つの肩固定部がユーザーの２つの肩にそれぞれ固定されることにより、前記シールド部が、前記ユーザーの頭部から離れた状態で前記ユーザーの頭部の少なくとも前方を覆う位置に配置される、フェイスシールドである。
【考案の効果】
【０００７】
本考案によれば、食事の際に好適に使用可能なフェイスシールドを提供することができる。
【図面の簡単な説明】
【０００８】
【図１】本考案の一実施形態に係るフェイスシールドの形状および装着時の状態を示す図である。
【図２】本考案の一実施形態に係るフェイスシールド装着状態を上から見た図である。
【図３】本考案の他の実施形態に係るフェイスシールドの形状および装着時の状態を示す図である。
【考案を実施するための形態】
【０００９】
以下、本考案の実施形態について図を用いて詳細に説明する。
【００１０】
図１は、本考案の一実施形態に係るフェイスシールドの形状および装着時の状態を示す図である。
【００１１】
図１を参照して、本考案の実施形態に係るフェイスシールド１は、透明な材料を用いて形成されたシールド部１１と、シールド部１１に連結した２つの肩固定部１２とを有する。シールド部１１と肩固定部１２とは直接連結していても良いし、他の部品等を介して間接的に連結していてもよい。
【００１２】
図１において、フェイスシールド１は、ユーザー１００に装着された状態である。この状態において、２つの肩固定部１２は、少なくともユーザーの肩付近に接触し、かつユーザー１００の肩との位置関係が固定されている。
【００１３】
たとえば、肩固定部１２は、ユーザー１００の肩の曲面に沿うように曲げられた板状の形状を有しており、ユーザー１００の肩と両面テープ等により固定される。
【００１４】
なお、肩固定部１２の形状および肩への固定方法は特に限定されない。たとえば、肩固定部１２は、ユーザー１００の肩から背中へ体の曲面に沿って延びる形状を有していてもよい。この場合、たとえば、肩固定部１２がユーザー１００の胴体に回したベルト等によりユーザー１００の体に固定されることで、ユーザー１００の肩と肩固定部１２との位置関係が固定されるものであってもよい。また、肩固定部１２は、ユーザー１００の肩周りまたは肩付近の衣服を把持するような留め具であってもよいし、肩に巻きつける紐またはベルトであってもよい。
【００１５】
また、肩固定部１２は、シールド部１１と一体に形成された物であってもよい。この場合、肩固定部１２とシールド部１１とはたとえば同じ材料であり、互いに連続している。このような構造によれば、フェイスシールド１の製造コストを下げることが可能となる。
【００１６】
シールド部１１の材料としては、たとえば、アクリル樹脂、ポリカーボネート樹脂、またはポリエステル樹脂を挙げることができる。
【００１７】
シールド部１１は、前方シールド部１４と、上方シールド部１３とを有する。前方シールド部１４と、上方シールド部１３とはたとえば連続している。前方シールド部１４は、たとえば、透明の樹脂板をＵ字型に湾曲させた形状を有している。
【００１８】
前方シールド部１４は、２つの肩固定部１２がユーザー１００の２つの肩にそれぞれ固定されることにより、ユーザー１００の顔から離れた状態でユーザー１００の顔の前方（すなわち頭部の前方）および側方を覆う位置に配置される。また、この状態において、上方シールド部１３はユーザー１００の頭部の上方を覆う位置に配置される。
【００１９】
言い換えれば、シールド部１１は、２つの肩固定部１２がユーザー１００の２つの肩にそれぞれ固定された状態、すなわちユーザー１００がフェイスシールド１を装着した状態においてユーザー１００の頭部の前方、側方および上方を覆うことが可能な形状を有する。
【００２０】
フェイスシールド１の構造であれば、ユーザー１００の顔と前方シールド部１４との間の空間を広くするような設計にすることが容易なため、ユーザー１００は、フェイスシールド１の存在をそれほど邪魔に感じることなく、食事を口に運ぶことができる。
【００２１】
また、フェイスシールド１は、ユーザー１００の肩等において支持されるため、ユーザー１００の頭部に固定する必要がない。このため、ユーザー１００は、シールド部１１の内側で下を向くことが可能となり、より快適に食事をとることができる。また、シールド部１１の形状により、ユーザー１００はある程度自由に顔を左右に向けることも可能となる。
【００２２】
また、フェイスシールド１は、ユーザー１００の肩等において支持されるため、頭部にゴムバンド等で固定するタイプのフェイスシールドのように、咀嚼によりずれてくることがない。
【００２３】
フェイスシールド１は、ユーザー１００に装着された状態において形状を維持できる程度の剛性を有するが、自由に折り畳むことが可能であってもよい。
【００２４】
なお、シールド部１１は、上方シールド部１３を有しない形状であってもよい。また、前方シールド部１４は、顔の前方を覆うが側方は覆わない形状であってもよい。
【００２５】
図２は、本考案の一実施形態に係るフェイスシールドの装着状態を上から見た図である。
【００２６】
図２を参照して、ユーザー１００の頭部と、前方シールド部１４との間には食事をとるのに十分な空間がある。
【００２７】
図３は、本考案の他の実施形態に係るフェイスシールドの形状を示す図である。
【００２８】
図３におけるシールド部１１の形状は、図２におけるシールド部１１の形状と異なっている。このように、シールド部１１の形状は、図１および２に示す形状に限定されない。たとえば、シールド部１１は、上方から見た場合に、Ｕ字型であってもよいし、Ｖ字型であってもよいし、コの字型であってもよい。
【００２９】
ここで示した実施形態は、例として提示したものであり、考案の範囲を限定することは意図していない。これら実施形態は、その他の様々な形態で実施されることが可能であり、考案の要旨を逸脱しない範囲で、種々の省略、置き換え、変更を行うことができる。これら実施形態やその省略、置き換え、変更などは、考案の範囲や要旨に含まれると同様に、請求の範囲に記載された考案とその均等の範囲に含まれるものである。
【符号の説明】
【００３０】
１  フェイスシールド
１１  シールド部
１２  肩固定部
１３  上方シールド部
１４  前方シールド部
１００  ユーザー
【図１】
0003232522.tif 000003
【図２】
0003232522.tif 000004
【図３】
0003232522.tif 000005